(57)【要約】【課題】小型で取り扱い易いサイクロン分離式の集塵部を備えた電気掃除機を実現する。【解決手段】塵埃を遠心分離して捕捉するサイクロン分離筒１０４と第１の補助フィルター１０６を内部に有する集塵ケース１０５を独立して着脱可能に並べて掃除機本体１の下ケース１０１に装着し、サイクロン分離筒１０４の排気の一部を集塵ケース１０５、及び下部に設けたフィルターを介して電動送風機に流入させた。【選択図】　図２
2004135994.tif 000002
【特許請求の範囲】
【請求項１】
含塵空気を遠心分離により除塵するサイクロン分離筒を備えた電気掃除機において、
該サイクロン分離筒に形成した連通口により、該サイクロン分離筒と連通する集塵ケースとを有し、該集塵ケースにはフィルターを内蔵し、該フィルターを通過した空気と、前記サイクロン分離筒の排気口とから流出した空気とが合流するサイクロン部流出口を下部に配置した流路構成としたことを特徴とする電気掃除機。
【請求項２】
請求項１において、
集塵ケース下部にフィルターを内蔵したことを特徴とする電気掃除機。
【請求項３】
請求項１または請求項２において、
該サイクロン分離筒の下部より含塵空気を流し入れ、このサイクロン分離筒から除塵した空気を排気する排気口を前記サイクロン分離筒下部に設け、このサイクロン分離筒の上部に、サイクロン分離筒の側面に置いた集塵ケースに至る連通口を設け、前記フィルターを開閉する手段を設けたことにより、前記集塵ケースに溜まった塵埃を廃棄することができることを特徴とした電気掃除機。
【請求項４】
含塵空気を遠心分離により除塵するサイクロン分離筒を備えた電気掃除機において、
該サイクロン分離筒の下部より含塵空気を流し入れ、このサイクロン分離筒から除塵した空気を排気する排気口を前記サイクロン分離筒下部に設け、このサイクロン分離筒の上部に、サイクロン分離筒の側面に置いた集塵ケースに至る連通口を設け、該電気掃除機の正面から見て、該サイクロン分離筒の中心軸を左右方向に傾け、前記集塵ケースが、下広がりの形状をしたことを特徴とする電気掃除機。
【請求項５】
請求項１乃至請求項４のいずれかにおいて、
電動送風機を、前記サイクロン分離筒と、前記集塵ケース下側に配置したことを特徴とする電気掃除機。
【請求項６】
請求項１乃至請求項５のいずれかにおいて、
電動送風機回転軸の回転により、吸口体の回転ブラシが駆動されることを特徴とする電気掃除機。
【発明の詳細な説明】
【０００１】
【発明の属する技術分野】
本発明は、電気掃除機に関する。
【０００２】
【従来の技術】
一般的な電気掃除機は、吸口から吸い込んだ含塵空気を掃除機本体に導き、この掃除機本体内の集塵部を通して除塵し、除塵によって清浄になった空気を掃除機本体外に排気する構成である。集塵部は、紙フィルターによる濾過によって塵埃を捕捉して除塵し、または、サイクロン分離筒による遠心分離によって塵埃を捕捉して除塵する構成である。
【０００３】
サイクロン分離式の集塵部を備えた電気掃除機の集塵部は、１つのサイクロン分離筒による遠心分離によって塵埃を捕捉して除塵する構成となっている（例えば特許文献１参照）。
【０００４】
また、電気掃除機におけるサイクロン分離式の集塵部として、サイクロン分離筒を外側分離筒と内側分離筒の２重構造に構成し、外側分離筒内で粗大塵を遠心分離して除塵し、内側分離筒内で微細塵を遠心分離して除塵することが提案されている（例えば特許文献２参照）。
【０００５】
【特許文献１】
特開２００１−２９２８８号公報
【特許文献２】
特表平１０−５１１８８０号公報
【０００６】
【発明が解決しようとする課題】
一般家庭で使用する電気掃除機は、小型で取り扱い易いことが重要であり、集塵部の小型化と捕捉した塵埃廃棄操作の簡易化が必要である。
【０００７】
１つのサイクロン分離筒によって塵埃を捕捉する集塵部は、粗大塵と微細塵を一緒に捕捉しているので、捕捉塵埃を廃棄するときに微細塵が飛散し易く、塵埃廃棄操作が面倒である。また、塵埃捕捉（集塵＝除塵）性能を高めようとすると、サイクロン分離筒が長くなって大型化してしまう。
【０００８】
内外２重分離筒構造のサイクロン分離式の塵埃分離装置（集塵部）は、外側分離筒と内側分離筒を一体的に組み合わせた構成であることから、小型で取り扱い易い形態に構成することが困難である。一般的な家庭における使用では、粗大塵が多量に捕捉されて該粗大塵を廃棄するための操作頻度が高くなるが、内外２重分離筒構造の集塵部は、粗大塵を捕捉している外側分離筒のみを取り出して該粗大塵のみを廃棄操作することができない。
【０００９】
本発明の１つの目的は、小型で取り扱い易いサイクロン分離式の集塵部を備えた電気掃除機を提案することにある。
【００１０】
本発明の他の目的は、小型で塵埃捕捉（集塵）性能が高いサイクロン分離式の集塵部を備えた電気掃除機を提案することにある。
【００１１】
本発明の更に他の目的は、捕捉した微細塵を飛散しないように確実に保持しておくことができるサイクロン分離式の集塵部を備えた電気掃除機を提案することにある。
【００１２】
【課題を解決するための手段】
上記目的を達成するために本発明の特徴とするところは、サイクロン分離筒に形成した連通口により、該サイクロン分離筒と連通する集塵ケースとを有し、該集塵ケースにはフィルターを内蔵し、該フィルターを通過した空気と、前記サイクロン分離筒の排気口とから流出した空気とが合流するサイクロン部流出口を下部に配置した流路構成としたことにある。
【００１３】
また、本発明の特徴とするところは、該集塵ケース下部にフィルターを内蔵したことにある。
【００１４】
さらに、本発明の特徴とするところは、該サイクロン分離筒の下部より含塵空気を流し入れ、このサイクロン分離筒から除塵した空気を排気する排気口を前記サイクロン分離筒下部に設け、このサイクロン分離筒の上部に、サイクロン分離筒の側面に置いた集塵ケースに至る連通口を設け、前記フィルターを開閉する手段を設けたことにより、前記集塵ケースに溜まった塵埃を廃棄することにある。
【００１５】
さらにまた、本発明の特徴とするところは、サイクロン分離筒を備えた電気掃除機において、該サイクロン分離筒の下部より含塵空気を流し入れ、このサイクロン分離筒から除塵した空気を排気する排気口を前記サイクロン分離筒下部に設け、このサイクロン分離筒の上部に、サイクロン分離筒の側面に置いた集塵ケースに至る連通口を設け、該電気掃除機の正面から見て、該サイクロン分離筒の中心軸を左右方向に傾け、前記集塵ケースが、下広がりの形状をしたことにある。
【００１６】
【発明の実施の形態】
本発明の第１の実施例形態を図面を参照して説明する。図１は、本発明の一実施の形態を示す電気掃除機の外観斜視図である。図２は、その掃除機本体の斜視図である。図３は、その掃除機本体の上蓋を開いた状態を示す斜視図である。図４は、その掃除機本体の集塵ケースを取り除いた状態を示す斜視図である。図５は、その掃除機本体の集塵ケースとサイクロン分離器を取り除いた状態を示す斜視図である。図６は、上蓋と上ケースを取り除いた横平面図である。図７は、その掃除機本体内の空気の流れを示す模式図である。
【００１７】
この実施の形態における電気掃除機は、図１に示すように、掃除機本体１とホース２と手元操作管３と伸縮延長管４と吸口５を備え、掃除機本体１と手元操作管３をホース２を介して接続し、この手元操作管３に伸縮延長管４を介して吸口５を接続して使用する。
【００１８】
掃除機本体１は、電動送風機（後述する）を内蔵し、この電動送風機の吸気力によって吸口５から吸気することによって該吸気流に乗せて塵埃を吸い込み、吸い込んだ含塵空気を伸縮延長管４と手元操作管３とホース２を介して掃除機本体１に吸い込ませ、サイクロン分離式の集塵部（後述する）で除塵（集塵）した後に機外に排気する。
【００１９】
掃除機本体１は、図２〜図６に示すように、下ケース１０１と上蓋１０２の間にサイクロン分離筒１０４と集塵ケース１０５を着脱可能に装着し、下ケース１０１と上ケース１５０の間に第２の補助フィルター１１２と電動送風機１０７とコードリール１１０とを内蔵する。
【００２０】
この掃除機本体１は、図７に示すように、含塵空気をホース２を介して入口管１１５より、サイクロン分離筒１０４に流し入れて旋回させることにより遠心分離作用で塵埃を分離して、上部の連通口１１７を通して集塵ケース１０５に塵埃を搬送し、サイクロン分離筒１０４からの排気は内筒１３１を通って、サイクロン分離筒１０４の下部に設けた排気口１２０に排気される。また、一部の空気は集塵ケース１０５に流れ込み、第１の補助フィルター１０６によって塵埃を捕捉する。集塵ケース１０５の排気は第１の補助フィルター１０６の後方のサイクロン部流出口１４６から第２の補助フィルター１１２を通って電動送風機１０７に吸込ませる。この時サイクロン分離筒１０４からの排気も前記排気口１２０から連絡通路１４５を通過し、前記サイクロン部流出口１４６を流出し、前記集塵ケース１０５の排気と合せて電動送風機１０７に吸込ませる。この電動送風機１０７からの排気をフィルター１０８を介して、一部は排気流路（図示せず）を介し、一部はコードリール１１０に流してこれらを冷却し、その後に機外に放出させる。
【００２１】
下ケース１０１は、この掃除機本体１を床面に走行させるための走行車輪２０８と案内車輪（図示せず）を備え、サイクロン分離筒１０４と集塵ケース１０５を独立して着脱可能に並べて縦置きに装着し、更に、第２の補助フィルター１１２を並べて設置する。
【００２２】
上蓋１０２は、上ケース１５０の上側後部に転回可能に取り付け、閉じた状態でサイクロン分離筒１０４の入口管１１５とホース接続口部１１６とが気密状態に当接し、サイクロン分離筒１０４の連通口１１７と集塵ケース１０５の上部開口１１８とが気密状態に当接するように付勢する。また、サイクロン分離筒１０４の下部の排気口１２０と集塵ケース１０５の下部に設けた連絡通路１４５とが気密状態に当接し、サイクロン部流出口１４６と第２の補助フィルター１１２が収納されるフィルターケース１１３との間を気密状態に当接するように付勢する。サイクロン分離筒１０４の軸方向は鉛直方向を向いているが、鉛直方向でなく斜め方向に傾いていてもかまわない。
【００２３】
集塵ケース１０５の上部の取っ手１２３を持って、集塵ケース１０５を分離して取り出すことができ、集塵ケース１０５内の第１の補助フィルター１０６を開けることによって、集塵ケース１０５内の塵埃を廃棄する。第１の補助フィルター１０６を集塵ケース１０５下部に設けているので、手の姿勢を変えることなく塵埃を簡単に排気できるという特徴を持っている。
【００２４】
さらに、サイクロン分離筒１０４の内部が汚れた場合には、上部の取っ手１２５を持って、下ケース１０１から持ち上げ、サイクロン分離筒１０４を分解して清掃することができる。
【００２５】
ここで、サイクロン分離筒１０４の内表面または、集塵ケース１０５の内表面にクリヤー系ＵＶ硬化型コーティング処理している。このため、前記サイクロン分離筒１０４内に塵埃が流入し、塵埃が遠心分離され、前記集塵ケース１０５に流入する際に、このサイクロン分離筒１０４内の表面や、集塵ケースの内面に塵埃が衝突し、こすれた場合でも、表面に傷が入りにくく、汚れを付着しにくくするととともに耐擦性，耐汚染性を向上させることができる。このため、サイクロン分離筒１０４の外筒１３５や、集塵ケース１０５を透明のプラスチック材で製作した場合でも、塵埃のたまり具合を目視で確認することができる。
【００２６】
また、サイクロン分離筒１０４や、集塵ケース１０５を帯電防止樹脂剤を用いて成型したり、表面に帯電防止剤を塗布することにより、前記サイクロン分離筒１０４や、集塵ケース１０５に塵埃が付着しにくくなり、清掃回数を減らすことができる。
【００２７】
次に、図６を参照して、電気掃除機本体１内部の配置について説明する。図６は上ケース１５０と上蓋１０２を取り外した状態の平面図である。ホース接続口部１１６は上方から見て本体１の幅方向の中央にあり、サイクロン分離筒１０４の中心軸は幅方向の中央からずらして位置し、サイクロン分離筒１０４の略接線方向に空気を流入させる入口管１１５とホース接続口部１１６が直線状になるように配置されている。また、集塵ケース１０５はサイクロン分離筒１０４の中心軸とは幅方向の反対側に設置される。同様に、電動送風機１０７はサイクロン分離筒１０４の中心軸とは幅方向の反対側に設置され、その前面には第２の補助フィルター１１２が設けられている。コードリール１１０は電動送風機１０７の横に設置され、幅方向でサイクロン分離筒１０４の中心軸を同じ方向に設置されている。
【００２８】
このように配置したことで、本体の長さを短くでき、小型軽量を達成できる。また、サイクロン分離筒１０４の入口部分に曲りなどを設ける必要が無いため、損失を小さくできる効果が得られる。
【００２９】
ここで、サイクロン分離筒１０４と集塵ケース１０５の詳細について、図８から図１３と、図１５から図１６を参照して説明する。図８はサイクロン分離筒１０４の外観斜視図、図９は集塵ケース１０５の外観斜視図、図１０は図６のＡ−Ａ断面図、図１１はサイクロン分離筒１０４の入口管部分を含む断面図、図１２はサイクロン分離筒１０４と集塵ケース１０５の連通口１１７を含む断面図、図１３は集塵ケース１０５を排気側から見たときの側面図である。
【００３０】
サイクロン分離筒１０４の外筒１３５にはその空気取り入れ口である入口管１１５が、このサイクロン分離筒１０４の中心軸方向長さの中央より下部に設けられ、略円筒形をなすサイクロン分離筒１０４の略接線方向に空気が入るように設置されている。サイクロン分離筒１０４の中央より上部に連通口１１７が設けられ、集塵ケース１０５に塵埃とともに空気を流入させる。サイクロン分離筒１０４の下部には内筒１３１が設けられ、下部の排気口１２０につながっている。内筒１３１は隔壁１３２と筒部１３４とで構成され、筒部１３４には網フィルター１３３として樹脂繊維性の網を筒部１３４と一体にインサート成型により構成している。網フィルター１３３は図１０に示すように、側面の円筒部分に構成してもよく、また、筒部の上平面と側面の円筒部分を合せて構成してもかまわない。ここでは、前記網フィルター１３３は、前記内筒１３１の側面の円筒部分全周に設けるのではなく、前記入口管１１５付近のおよそ９０度程度は、前記網フィルター１３３と開口部を設けていない。このため、前記入口管１１５から髪の毛などの細い塵埃が流入しても、前記網フィルター１３３に直接当たることを防げ、刺さったりして絡み付くことを防ぐことができる。さらに、前記入口管１１５から針などの尖った塵埃が流入した場合にも、前記網フィルター１３３に直接当たることが無いので、前記網フィルター１３３が破れ、塵埃が流出することを防げる。
【００３１】
また、網フィルター１３３は前記内筒１３１の内向きに力を受けるので、前記網フィルターの内径側に内筒のリブ１３６を設ければ良い。
【００３２】
ここで、網フィルター１３３に帯電防止処理を施すと、前記網フィルター１３３に付着した塵埃が離れやすく、清掃が容易にできる。
【００３３】
また、サイクロン分離筒１０４の外筒１３５にはその空気取り入れ口である入口管１１５が、このサイクロン分離筒１０４の中心軸方向長さの中央より下部に設けられているので、前記入口管１１５に連通するホース接続口部１１６も、サイクロン分離筒１０４の中心軸方向長さの中央より下部に配置することができる。このため、前記ホース接続口部１１６は、掃除機本体１の下部に配置することができるので、前記掃除機本体１を、前記ホース２を介して手元操作管３で引き回した場合、前記掃除機本体１が転倒しにくく、安定して引き回す事ができる。
【００３４】
さらに、前記ホース接続口部１１６を前記掃除機本体１の下側に配置できるので、上蓋１０２に前記ホース接続口部１１６を配置する必要が無く、集塵ケース１０５や、サイクロン分離筒１０４を前記掃除機本体１から取出す時に、前記ホース２を取り付けたままでも容易に、前記上蓋１０２を開閉することができる。
【００３５】
サイクロン分離筒１０４は外筒１３５と内筒１３１と排気口１２０を形成する部材とに分離され、それぞれが着脱自在に嵌着し、それぞれの部材は気密を保って当接している。なお、気密状態の当接を実現するために、当接部間には弾性シール部材を介在させると良い。サイクロン分離筒１０４の清掃は、外筒１３５と内筒１３１と排気口１２０を形成する部材をそれぞれ別々に分離して行うことにより可能である。
【００３６】
集塵ケース１０５には、サイクロン分離筒１０４の連通口１１７に対向する位置に上部開口１１８が設けられ、両者は気密状態を保って当接している。集塵ケース１０５の排気側には、フィルター枠１４０に取り付けられた第１の補助フィルター１０６が設けられている。フィルター枠１４０はその両面が開口となっていて、下部に設けた軸部を中心として回動するように設けられ、フィルター枠１４０が閉まったときには、集塵ケース１０５の本ケース１４１とフィルター枠１４０は気密状態を保って当接している。
【００３７】
ゴミ捨て時には、集塵ケース１０５上部の取っ手１２３を持って、集塵ケース１０５を持ち上げ、フィルター枠１４０を止めているクランプ部と一体になっているレバー１４２を押して、フィルター枠１４０を開いて行う。このとき、前記集塵ケース１０５は下方に広がっているので、前記集塵ケース１０５内に溜まった塵埃を捨てやすく、前記塵埃が前記集塵ケースに残りにくい。
【００３８】
また、第１の補助フィルター１０６の清掃は、フィルター枠１４０から第１の補助フィルター１０６を取り出して洗うなどして行うことができる。
【００３９】
第１の補助フィルター１０６は発泡性の洗える素材のウレタンでできたスポンジ、あるいは、洗える不織布、あるいは、洗えるろ紙材などを用いるのが望ましい。
【００４０】
第１の補助フィルター１０６や、第２の補助フィルター１１２に帯電防止処理を施すと、第１の補助フィルター１０６や、前記第２の補助フィルター１１２に付着した塵埃が離れやすく、清掃が容易にできる。
【００４１】
集塵ケース１０５の下部には連絡通路１４５とサイクロン部流出口１４６が一体に設けられている。従って、この集塵ケース１０５は、本ケース１４１と連絡通路１４５とフィルター枠１４０の下部の部分のサイクロン部流出口１４６とに分けられるが、両者の接合する部分は気密を保って当接するようになっている。また、サイクロン分離筒１０４の排気口１２０とも気密を保って当接している。
【００４２】
フィルター枠１４０は電動送風機１０７の前に設けられた第２の補助フィルター１１２を収納するフィルターケース１１３とも気密を保って当接している。以上説明してきた、気密状態の当接を実現するために、当接部間には弾性シール部材を介在させると良い。
【００４３】
このように構成した掃除機本体１は、電動送風機１０７を運転すると、その吸気力によって、サイクロン分離筒１０４の入口管１１５から該サイクロン分離筒１０４内に含塵空気が流入して該サイクロン分離筒１０４内で旋回することにより塵埃を遠心分離して該サイクロン分離筒１０４内の上の方に持ち上げ、集塵ケース１０５側に搬送する。除塵された空気は、サイクロン分離筒１０４の内筒１３１から網フィルター１３３を通って排気口１２０に流れ出る。この網フィルター１３３は、繊維塵や、紙などの塵埃が吹き抜けるのを防止するように機能する。
【００４４】
排気口１２０からの空気は連絡通路１４５、サイクロン部流出口１４６を介して、第２の補助フィルター１１２へと流れる。
【００４５】
サイクロン分離筒１０４の連通口１１７からの塵埃を含んだ空気は集塵ケース１０５の上部に設けられた上部開口１１８より集塵ケース１０５に流入し、第１の補助フィルター１０６で空気中の塵埃がせき止められ、第１の補助フィルター１０６の手前で堆積していく。該第１の補助フィルター１０６を通過した空気は第２の補助フィルター１１２側に流れていく。
【００４６】
第１の補助フィルター１０６の除塵性能はそのフィルター材の能力で決定されるが、μｍオーダーの塵埃までを分離できる能力を持たせると良い。しかし、除塵能力を高くしすぎると目詰まりも早くなり易いので、全体の除塵能力との兼ね合いで決定するのが望ましい。
【００４７】
掃除機本体１内に入ってきた塵埃は、そのほとんどが集塵ケース１０５内に溜められるので、ごみ捨ては集塵ケース１０５を掃除機本体１から取り出して除塵すれば良い。ごみ捨ては集塵ケース１０５より塵埃があふれないうちに行うのが望ましい。このため、集塵ケース１０５には、図９に示すように上部開口１１８に対向する位置にごみ捨てライン１５５を設けておき、使用者がこれを参考にごみ捨てを行えるようにしている。ごみ捨てライン１５５は、水平あるいは鉛直を向いているのではなく、集塵ケース１０５内にごみが溜まっていく時には、上部開口１１８に近接した部分が最後にごみで埋まるので、ごみのたまり具合から斜めに設定している。
【００４８】
なお、本実施の形態では、掃除機本体１内の空気の流れを図７に示すように２つの経路に分けているので、集塵ケース１０５内の塵埃には空気の流れ方向に圧力差を生じ、この圧力差によって塵埃が常時圧縮される。この圧力差は、溜められた塵埃が多くなるほど大きくなるので、塵埃が多くなればなるほど圧縮量が多くなるという特徴を併せ持っている。また、前記集塵ケース１０５の下部に第１の補助フィルター１０６を配置しているので、集塵ケース１０５内の塵埃の自重により、塵埃はより圧縮される。従って、集塵ケース１０５内により多くの塵埃を溜めることができるので、ごみ捨ての周期を長くすることができる。
【００４９】
集塵ケース１０５内の塵埃は、第１の補助フィルター１０６の手前で層状に堆積していき、かつ微細な粉塵も一緒に堆積していく。このため、繊維塵の間に粉塵がまぎれ込んでいくので、ごみ捨て時に粉塵が舞い上がりにくくなるという効果も得られる。
【００５０】
さらに、サイクロン分離器１０４の排気口１２０を通過する空気風量が、集塵ケース１０５を空気が通過しないときに比べて、少なくなるので、サイクロン分離器１０４の抵抗を小さくできる。従って、掃除機の吸込仕事率をより大きくすることができるという特徴を持っている。
【００５１】
また、サイクロン分離筒１０４内で、サイクロン分離筒１０４の入口管１１５から該サイクロン分離筒１０４内に含塵空気が流入して該サイクロン分離筒１０４内で旋回することにより塵埃を遠心分離して該サイクロン分離筒１０４内の上の方に持ち上げ、集塵ケース１０５側に搬送する。この際、前記サイクロン分離筒１０４から、前記集塵ケース１０５を通じて第１の補助フィルター１０６から排気される空気の流れが有るため、前記サイクロン分離筒１０４で遠心分離された塵埃は、前記集塵ケース１０５側へ流入しやすくなり、塵埃は前記集塵ケース１０５側へ瞬間分離されるので、捕塵効率を高くできる。
【００５２】
さらに、前記サイクロン分離筒１０４で遠心分離され、前記集塵ケース１０５側へ搬送された塵埃は、前記サイクロン分離筒１０４へ逆流しにくいので、前記集塵ケース１０５側へ搬送された塵埃が再飛散すること無く、捕塵効率を高くすることができる。
【００５３】
さらに、内筒１３１の網フィルター１３３に塵埃が付着した場合には、サイクロン分離筒１０４から除塵した空気を排気する排気口１２０から排気される空気風量が減少するため、第１の補助フィルター１０６を通過した前記集塵ケース１０５からの排気口である集塵ケース排気口１４４の空気風量が増加する。このため、前記内筒１３１の前記網フィルター１３３に付着した塵埃は、集塵ケース１０５に搬送されるという特徴をもつ。
【００５４】
また、前記集塵ケース１０５から、第１の補助フィルター１０６を通過した前記集塵ケース１０５からの排気口である集塵ケース排気口１４４の断面積を、サイクロン分離筒１０４から除塵した空気を排気する排気口１２０の断面積より大きくしている。このため、第１の補助フィルター１０６の断面積を大きくすることができ、前記第１の補助フィルター１０６を通過する空気の流速を小さくすることができる。このため、前記第１の補助フィルター１０６からの塵埃の吹き抜けを低減できる。さらに、前記第１の補助フィルター１０６を空気が通過する際の圧力損失を低減できるので、掃除機の吸込仕事率をより大きくすることができるという特徴を持っている。
【００５５】
ここで、サイクロン分離筒１０４の連通口１１７の下流側端部１１９をＲ形状としたり、滑り性の良い（低摩擦係数）の部材を貼りつけることにより、前記下流側端部１１９での塵埃のひっかりを防止することができる。また、前記下流側端部１１９の上方側を集塵ケース１０５からの排気口である第１の排気口１４４側に傾けた場合（連通口１１７の開口部を上方の方が広くした場合）、連通口１１７の下流側端部１１９に塵埃が引っかかったとしても、塵埃は前記下流側端部１１９の上方側へ移動し、この移動中にサイクロン分離筒１０４から集塵ケース１０５への空気の流れによって、前記連通口１１７の下流側端部１１９から引き剥がされやすくできる。
【００５６】
また、集塵ケース１０５内に溜まる塵埃の量が増えると、集塵ケース１０５を通過するときの抵抗が増えるので、集塵ケース内を流れる流量が低下する。従って、臭いを発生させ易い塵埃が多いときにはその部分を通過する空気の量が減り、臭いを掃除機外に出しにくくなるという効果もある。
【００５７】
また、連絡通路１４５，サイクロン部流出口１４６内が汚れたときも、集塵ケース１０５を取り出した状態で簡単に清掃することができる。
【００５８】
また、サイクロン分離器１０４の入口管１１５と内筒１３１を下に設けたので、上部にサイクロン分離筒１０４の連通口１１７と集塵ケース１０５の上部開口１１８を設けることができ、集塵ケース１０５に入った塵埃は、重力で下に落ちるので、サイクロン分離筒１０４へのこぼれを防止できる。
【００５９】
また、集塵ケース１０５の上部開口１１８は、前記集塵ケース１０５の前方に配置しているので、掃除機本体１を立てて収納する時には、前記集塵ケース１０５の上部開口１１８は、前記集塵ケース１０５の上方に配置していることとなるので、前記集塵ケース１０５に入った塵埃が、前記サイクロン分離筒１０４へこぼれるのを防止できる。
【００６０】
また、集塵ケース１０５をサイクロン分離筒１０４の側面に配置しているので、掃除機本体１の高さを高くすることなく、サイクロン分離筒１０４の長さ方向を長くできるので、旋回流によるごみの分離能力を高くできるという特徴を持っている。
【００６１】
なお、入口管１１５付近に、電動送風機１０７が停止した場合に入口管１１５を塞ぎ、前記電動送風機１０７を運転した場合には、前記サイクロン分離筒１０４の外筒１３５の内面の一部と内筒１３１の間を塞ぐ様に設置した弁を設けてもかまわない。
【００６２】
この場合、指輪など流体力を受けにくく、重い塵埃は、前記弁に衝突し旋回を停止する。このため、前記外筒１３５の内壁面の傷つきや破損を防ぐことができる。
【００６３】
さらに、電動送風機１０７の運転を停止し、サイクロン分離筒１０４を取出した時の塵埃のこぼれを防止することができる。
【００６４】
また、流体力を受けにくく重い塵埃はサイクロン分離筒１０４から、集塵ケース１０５に入らないので、前記集塵ケース１０５の第１の補助フィルター１０６を破ることが無く、前記集塵ケース１０５から塵埃が抜けるのを防ぐことができる。
【００６５】
なお、図１４に示すようにサイクロン分離筒１０４と集塵ケース１０５を一体に設けても良く、この場合、ゴミ捨て時に手で持つ質量は大きくなり、取り扱い性は低下するが、サイクロン分離筒１０４と集塵ケース１０５との間、排気口１２０と連絡通路１４５間が一体となって構成されるので、完全な気密が保たれるので、漏れなどによる損失の増加を抑えることができ、吸込仕事率をより高くすることができるとともに、塵埃の漏れやこぼれを抑制できる。
【００６６】
また、排気口１２０、連絡通路１４５、およびサイクロン部流出口１４６を下ケース１０１と当接する別部材の部品で構成しても良いが、連絡通路内が汚れたときに簡単に清掃ができないという面はあるものの、全体の気密を保つ個所を減らすことができる。また、気密を保つ方向を上下方向でできるので、気密が保ち易い特徴を持たせることができ、吸込仕事率をより高くすることができる。
以下、本発明の第２の実施の形態を図面に従い説明する。図１５は、本発明の一実施の形態を示すアップライト式電気掃除機の外観斜視図である。図１６は、図１５に示した電気掃除機における側面図である。ここでは、空気の流れを説明するために部分的に断面を示している。図１７は、サイクロン分離筒４０５と集塵ケース４０５が一体となったときの縦断面図である。図１８は、サイクロン分離筒４０４と集塵ケース４０５の連通口４１７を含む断面図である。
【００６７】
掃除機本体３０１には、床に向かって開口した吸口３０５を所定の角度範囲で回動可能に取り付けられており、該吸口３０５内には床面に面して回転ブラシ３０６が設けられている。この掃除機本体３０１には集塵部４６０が着脱自在に装着されている。集塵部４６０は、サイクロン分離筒４０４と集塵ケース４０５と、下部に集塵部蓋４６１が回動自在に設けられている。電動送風機は、この電動送風機の回転軸の回転により吸口３０５内の回転ブラシ３０６と、電動送風機の送風機を駆動するため、前記吸口３０５の上方で、掃除機本体３０１の下部である前記集塵部４６０の下方に配置されている。この電動送風機の吸気力によって、前記吸口３０５から吸気し、該吸気流に乗せて塵埃を吸い込み、吸い込んだ含塵空気を継ぎ手管３０４とホース３０２を介してサイクロン分離筒４０４の側にある集塵ケース４０５に集塵する。また、掃除機本体３０１の上部には使用者が把持する把持部３０３が設けられており、把持部３０３の操作によって電機掃除機が前後移動するようになっている。
【００６８】
この掃除機本体３０１は、含塵空気をホース３０２を介して入口管４１５より、サイクロン分離筒４０４に流し入れて旋回させることにより遠心分離作用で塵埃を分離して、上部の連通口４１７を通して集塵ケース４０５に塵埃を搬送し、サイクロン分離筒４０４からの排気は内筒４３１を通って、サイクロン分離筒４０４の下部に設けた排気口４２０に排気される。また、一部の空気は集塵ケース４０５に流れ込み、第１の補助フィルター４０６によって塵埃を捕捉する。集塵ケース４０５の排気は第１の補助フィルター４０６の下方のサイクロン部流出口４４６から第２の補助フィルター４１２を通って電動送風機に吸込ませる。この時サイクロン分離筒４０４からの排気も前記排気口４２０から連絡通路４４５を通過し、前記サイクロン部流出口４４６を流出し、前記集塵ケース４０５の排気と合せて電動送風機に吸込ませる。この電動送風機からの排気をフィルターを介した後に機外に放出させる。
【００６９】
サイクロン分離筒４０４の入口管４１５とホース接続口部４１６とが気密状態に当接し、サイクロン分離筒４０４の下部の排気口４２０と連絡通路４４５とが気密状態に当接し、サイクロン部流出口４４６と第２の補助フィルター４１２が収納されるフィルターケース４１３との間を気密状態に当接するように付勢されている。集塵部蓋４６１はサイクロン分離筒４０４と集塵ケース４０５の間に弾性体を挟み込み、上下方向に力が加わることにより、気密状態に当接し、また、電動送風機入口側に設けられる弾性体シール部材４５０により、掃除機本体３０１との間を気密状態に当接するように付勢されている。これらの気密状態は上下方向に力が加えられることにより発揮される。集塵部４６０を掃除機本体３０１に押し込んだときに、掃除機本体３０１に設けた止め具（図示せず）により集塵部を下方に押して、気密状態を実現しており、塵埃の漏れやこぼれを抑制できる。また、前記弾性体４５０で、第２の補助フィルター４１２を集塵部蓋４６１に保持している。
【００７０】
また、サイクロン分離筒４０４の軸方向は鉛直方向でなく斜め方向に傾いており、掃除機３０１の高さ方向を大きくせずに、サイクロン分離筒４０４の軸方向長さを長くでき、捕塵性能を向上することができる。
【００７１】
また、サイクロン分離筒４０４と集塵ケース４０５は、取っ手４２３を持って、掃除機本体３０１から分離して取り出すことができる。集塵ケース４０５の排気側には、第１の補助フィルター４０６と補助フィルターケース４４０が設けられ、補助フィルターケース４４０の開口には網フィルター４０６ａが一体にインサート成型で設けられている。この第１の補助フィルター４０６の背面には、多数の矩形の開口にフィルター４０６ｂを備えたフィルター受け部を有する集塵部蓋４６１が設けられ、第１の補助フィルターを支えるとともに、第１の補助フィルター４０６の周囲と補助フィルターケース４４０との間の気密を保っている。
【００７２】
第１の補助フィルター４０６とサイクロン分離筒排気口４２０の下部には集塵部蓋４６１が設けられ、その内部には、フィルター枠４１３のついた第２の補助フィルター４１２が集塵部蓋４６１の内部全体に広がって取り付けられている。
【００７３】
第１の補助フィルター４０６は、塵埃の捕集量の多いスポンジなどで構成するのが良い。また、スポンジはエーテル径の素材で作るなど、洗える素材であると、取り扱い上有利である。また、第１の補助フィルター４０６の前の網フィルター４０６ａには、帯電防止処理を施すと塵埃の剥離性が増して、表面から塵埃がはがれ易くなり、ゴミ捨て時にゴミが落ち易く好ましい。また、集塵部蓋４６１に設けたフィルター４０６ｂは、不織布や網フィルターなどを用いたフィルターを設置すれば、集塵ケース４０５からの塵埃の漏れをより防止できる。この不織布などで形成されるフィルター４０６ｂは集塵部蓋４６１に一体にインサート成型すると取り扱いが楽になる。
【００７４】
第２の補助フィルター４１２は襞折り状に折った不織布などを用いるのが良く、サイクロン集塵部４６０の下部全体を使えるので、フィルターの空気通過面積を大きく取れるので、通気抵抗を小さくでき、また、電動送風機側にスムーズに空気を流せるので、流れ抵抗を小さくでき、吸込仕事率を大きくできる。
【００７５】
第１の補助フィルター４０６は集塵ケース４０５の下部の連通口４１７から離れた位置、即ち、図中右前側に連通口４１７が有り、図中の左側に第１の補助フィルター４０６がある。このため、連通口４１７を通過した塵埃を含む空気は、第１の補助フィルター４０６側から吸引されているので、左下側に流れ易く、集塵ケース４０５の左下側から、塵埃が圧縮されながら、順々に堆積していくことになり、集塵ケース４０５内により多くの塵埃を蓄積できる。また、前記集塵ケース４０５の下部に第１の第１の補助フィルター４０６を配置しているので、集塵ケース４０５内の塵埃の自重により、塵埃はより圧縮される。従って、集塵ケース４０５内により多くの塵埃を溜めることができるので、ごみ捨ての周期を長くすることができる。また、塵埃中の繊維塵に砂とか土などの微細な粉塵が挟み込まれて圧縮されていくので、ゴミ捨て時に微細な粉塵が舞いあがりにくくなるという特徴を持っている。
【００７６】
集塵部４６０を掃除機本体４０１に取り付けた時には、正面側から見るとサイクロン分離筒４０４は、集塵ケース４０５の後側（奥）に配置している。このため、連通口４１７と集塵ケース４０５の上部開口４１８は、サイクロン分離筒の手前側に配置されているで、上部開口４１８に対抗する正面側の位置にごみ捨てライン（図示せず）を表示できる。このため、使用者が、見やすい位置にあるにごみ捨てラインを参考にごみ捨てを行えるようにしている。ごみ捨てラインは、集塵ケース４０５内にごみが溜まっていく時には、上部開口４１８に近接した部分が最後にごみで埋まるので、ごみのたまり具合から斜めに設定している。
【００７７】
ゴミ捨て時には、集塵部蓋４６１を開放して塵埃を捨てる。このとき、前記集塵ケース４０５は下方に広がっているので、前記集塵ケース４０５内に溜まった塵埃を捨てやすく、前記塵埃が前記集塵ケース４０５に残りにくい。
【００７８】
また、フィルター類が目詰まりしたときには、集塵部蓋４６１を開けた状態で、補助フィルターケース４４０を開け、第１の補助フィルターを取り出し、水洗いして、自然乾燥し、乾いた後に取り付ける。また、第２の補助フィルター４１２は補助フィルター枠４１３ごと取り出して、水洗いして、自然乾燥し、乾いた後に取り付ける。
【００７９】
なお、内筒４３１を集塵部蓋４６１に取り付けて、集塵部蓋４６１をゴミ捨て時に開放したときに、一体に開くようにすることもできる。このようにすると、集塵ケース４０５からあふれるほど塵埃を吸ったときなどに、サイクロン分離筒４０４内に塵埃が溜まるが、この塵埃を容易に取り除くことができる。
【００８０】
ここで、サイクロン分離筒４０４の内表面または、集塵ケース４０５の内表面にクリヤー系ＵＶ硬化型コーティング処理している。このため、前記サイクロン分離筒４０４内に塵埃が流入し、塵埃が遠心分離され、前記集塵ケース４０５に流入する際に、このサイクロン分離筒４０４内の表面や、集塵ケースの内面に塵埃が衝突し、こすれた場合でも、表面に傷が入りにくく、汚れを付着しにくくするととともに耐擦性，耐汚染性を向上させることができる。このため、サイクロン分離筒４０４の外筒４３５や、集塵ケース４０５を透明のプラスチック材で製作した場合でも、塵埃のたまり具合を目視で確認することができる。
【００８１】
また、サイクロン分離筒４０４や、集塵ケース４０５を帯電防止樹脂剤を用いて成型したり、表面に帯電防止剤を塗布することにより、前記サイクロン分離筒４０４や、集塵ケース４０５に塵埃が付着しにくくなり、清掃回数を減らすことができる。
【００８２】
サイクロン分離筒４０４の外筒４３５にはその空気取り入れ口である入口管４１５が、このサイクロン分離筒４０４の中心軸方向長さの中央より下部に設けられ、略円筒形をなすサイクロン分離筒４０４の略接線方向に空気が入るように設置されている。このためホース接続口部４１６を掃除機本体３０１の下方に配置することができ、ホース３０２の長さ短くすることができ、摩擦などの損失を小さくできる効果が得られる。
【００８３】
サイクロン分離筒４０４の中央より上部に連通口４１７が設けられ、集塵ケース４０５に塵埃とともに空気を流入させる。サイクロン分離筒４０４の下部には内筒４３１が設けられ、下部の排気口４２０につながっている。ここで、この排気口４２０をサイクロン分離筒の下方に設けることができるので、電動送風機までの流路を短く構成できる。このように配置したことで、掃除機本体３０１の高さを短くでき、小型軽量を達成できるとともに、摩擦などの損失を小さくできる効果が得られる。
【００８４】
内筒４３１は隔壁４３２と筒部４３４とで構成され、筒部４３４には網フィルター４３３として樹脂繊維性の網を筒部４３４と一体にインサート成型により構成している。網フィルター４３３は、側面の円筒部分に構成してもよく、また、筒部の上平面部分に構成してもよく、筒部の上平面と側面の円筒部分を合せて構成してもかまわない。ここでは、前記網フィルター４３３は、前記内筒４３１の側面の円筒部分全周に設けるのではなく、前記入口管４１５付近のおよそ９０度程度は、前記網フィルター４３３と開口部を設けていない。このため、前記入口管４１５から髪の毛などの細い塵埃が流入しても、前記網フィルター４３３に直接当たることを防げ、刺さったりして絡み付くことを防ぐことができる。さらに、前記入口管４１５から針などの尖った塵埃が流入した場合にも、入口管４１５を上方に曲げておけば、この曲りのため前記網フィルター４３３に直接当たることが無いので、前記網フィルター４３３が破れ、塵埃が流出することを防げる。
【００８５】
また、網フィルター４３３は前記内筒４３１の内向きに力を受けるので、前記網フィルターの内径側に内筒のリブを設ければ良い。
【００８６】
ここで、網フィルター４３３に帯電防止処理を施すと、前記網フィルター４３３に付着した塵埃が離れやすく、清掃が容易にできる。
【００８７】
本発明の第３の実施の形態例を図面を参照して説明する。図１９は、本発明の一実施の形態を示す電気掃除機のサイクロン分離筒と集塵ケースとを含むサイクロン集塵部５６０の縦断面である。
【００８８】
略円筒形状をしたサイクロン分離筒５０４と下部にある集塵ケース５０５とその下部にあるフィルターケース５１３とが一体として、サイクロン集塵部を形成し、それが掃除機本体に着脱自在に装着されている。電動送風機は、このサイクロン集塵部の下部にある。サイクロン分離筒５０４には入口管５１５が一体に形成されていて、サイクロン分離筒５０４の周方向に流れが入るように設けている。入口管５１５は円形の断面を持っているが、周囲の角が取れた略長方形の形状をしていてもかまわない。
【００８９】
サイクロン分離筒５０４の下方には一体に形成された集塵ケース５０５があり、サイクロン分離筒５０４から、集塵ケース５０５の下方に向かうに連れて内部の断面積が大きくなる、言い換えれば、下側に広がった形に形成している。集塵ケース５０５は図では円形断面を持っているが、下部は角の取れた略矩形の断面を持っていてもかまわない。
【００９０】
内筒５３１は円形断面を持つ筒部５３４と、サイクロン分離筒５０４と集塵ケース５０４を区切る下側に湾曲した隔壁５３２、および、上部に開口を持ち、その部分に網フィルター５３３をインサート成形している。内筒５３１の上部は、サイクロン分離筒５０４と一体となる内筒固定用リブ５４５に装着される。図示していないが、内筒５３１を内筒固定用リブ５４５に差し込み、少し周方向にひねることにより、両者を気密状態に固定できるようになっている。内筒５３１の下部にはサイクロン分離筒排気口５２０が形成されている。
【００９１】
サイクロン集塵部の下部には、フィルターケース５１３などで構成される集塵部蓋５６１が設けられている。上部には、第１の補助フィルター５０６とこれを覆うフィルター枠５４０が設けられ、このフィルター枠５４０には、網フィルター４０６ａが一体にインサート成形されている。なお、フィルター枠５４０はその中央部は略円形の断面を有している。集塵部蓋５６１の内部には、第２の補助フィルター５１２が収納されるフィルターケース５１３が内蔵されていて、集塵ケース５０５と当接し、さらに、多数の開口を持つ隔壁で中央部にまで至り、中央部に内筒５３１と当接する円筒部を形成している。隔壁には網フィルター４０６ｂが一体にインサート成形されている。また、隔壁は第１の補助フィルターを支えるとともに、フィルター枠５４０が着脱自在に設けられる。集塵部蓋５６１の下部には、電動送風機入口の開口と当接する弾性体５５０が設けられ、この弾性体５５０で、第２の補助フィルター５１２を保持している。掃除機への装着時には、電動送風機入口部分に形成される開口を持つ隔壁で、大きな力を受ける。
【００９２】
集塵部蓋５６１と集塵ケース５０５と内筒５３１との気密は、前述したように、フィルターケース５１３とそれぞれが当接する部分に弾性体で構成されるシール部材を介在し、上下方向に力を加えることにより気密状態に装着している。従って、塵埃の漏れや零れを抑制できる。
【００９３】
次に、空気および塵埃の流れを説明する。含塵空気を入口管５１５より、サイクロン分離筒５０４に流し入れて旋回させることにより、遠心分離作用で塵埃を分離して、連通口５１７を通して、集塵ケース５０５に塵埃を搬送し、サイクロン分離筒５０４からの排気は内筒５３１上部の網フィルター５３３を通って、内筒５３１内に入り、サイクロン分離筒５０４の下部に設けた排気口５２０に至り、集塵部蓋５６１側に排気される。また、一部の空気は内筒５３１の隔壁５３２の外側に形成される連通口５１７より、集塵ケース５０５内に流れ込み、第１の補助フィルター５０６により塵埃を捕捉する。集塵ケース５０５からの排気は第１の補助フィルター５０６の下方の網フィルター５０６ｂを通過し、フィルターケース５１３の中央部に形成された円筒部の流れとともに第２の補助フィルターへと流れる。この両者の流路を併せて、サイクロン部流出口５４６を形成している。更に、第２の補助フィルター５１２を通過した空気は、電動送風機に吸い込まれる。
【００９４】
サイクロン集塵部５６０は取っ手（図示せず）を持って、掃除機本体から分離して取り出すことができ、集塵ケース５０５の下部の集塵部蓋５６１を開けることによって、集塵ケース５０５内の塵埃を排気する。この時、集塵ケース５０５が下方に広がっているので、集塵ケース５０５内に溜まった塵埃が下側に落ち易く、塵埃が集塵ケース５０５内に残りにくい。また、集塵ケース５０５の下部に第１の補助フィルター５０６を配置して、空気を通せるようにしているので、集塵ケース５０５内に塵埃が溜まるに連れて、塵埃部分の流れ抵抗が大きくなり、ゴミが圧縮される。更に、第１の補助フィルター５０６が集塵ケース５０５の下部にあるので、塵埃の自重により、塵埃は更に圧縮される。従って、集塵ケース５０５内に溜められる塵埃の量を多くできるので、ゴミ捨ての周期を長くすることができる。また、塵埃が圧縮されることにより、繊維塵の中に細かい粉塵が保持され、このため、ごみ捨て時に塵埃の舞いあがりが抑制できる。
【００９５】
さらに、サイクロン分離筒５０４の内部が汚れた場合には、内筒５３１を取り出して、サイクロン分離筒５０４を清掃することができる。また、内筒５３１の網フィルター５３３の汚れも清掃することができる。
【００９６】
また、第１の補助フィルター５０６の清掃は、フィルター枠５４０から第１の補助フィルター５０６を取り出して、洗うなどして行うことができる。第１の補助フィルター５０６はウレタンなどの発泡スポンジで形成し、洗える素材でできている。
【００９７】
また、サイクロン分離筒５０４の排気を内筒５３１に導き、これを下方に有る排気口５２０に直線状に空気を流すことにより、内筒の排気を上部よりサイクロン分離筒５０４の外側を経由して、下方に送るよりも、単純に流路を形成でき、本体の高さも低くでき、小型軽量を達成できるとともに、流れの曲りがなく、流れの乱れによる損失や、摩擦などによる損失を小さくできるので、吸込仕事率を大きくできるという効果も得られる。
【００９８】
なお、内筒５３１の筒部５３４の状に設けた開口にある網フィルター５３３は筒部５３４の全集に渡って形成しているのではなく、入口管５１５付近のおよそ９０度程度の範囲を筒部５３４の壁で形成し、入口管５１５から空気と一緒に侵入する髪の毛などの細長い塵埃が網フィルター５３３に妨げ、刺さったりして内筒５３１に絡み付くのを防ぐことができる。さらに、入口管５１５から針などの先端の尖った塵埃が流入した場合にも、網フィルター５３３に直接当たることがないので、網フィルター５３３が破れて塵埃が流出することを防げる。
【００９９】
【発明の効果】
本発明は、上向きに旋回流を発生させるサイクロン分離筒と、この側面に内部にフィルターを有する集塵ケースを配置して、掃除機本体に装着したことにより、小型で取り扱い易いサイクロン分離式の集塵部を実現することができる。
【０１００】
下側から空気を吸い込み、下側に排気するサイクロン分離筒と、排気の一部を集塵ケース内の下部に設けたフィルターに流すことにより、小型で塵埃捕捉（集塵）性能が高く、集塵容量の大きいサイクロン分離式の集塵部を実現することができる。
【図面の簡単な説明】
【図１】本発明の一実施の形態を示す電気掃除機の外観斜視図である。
【図２】図１に示した電気掃除機における掃除機本体の斜視図である。
【図３】図１に示した電気掃除機における掃除機本体の上蓋を開いた状態を示す斜視図である。
【図４】図１に示した電気掃除機における掃除機本体の上蓋を開いて、集塵ケースを取り外した状態を示す斜視図である。
【図５】図１に示した電気掃除機における掃除機本体内の上蓋を開いて、集塵ケースとサイクロン分離筒とを取り外した状態を示す斜視図である。
【図６】掃除機本体における上ケースと上蓋を取り外した状態を示す平面図である。
【図７】空気の流れを示す模式図である。
【図８】サイクロン分離筒１０４の外観斜視図である。
【図９】集塵ケース１０５の外観斜視図である。
【図１０】図６のＡ−Ａ断面を示す断面図である。
【図１１】サイクロン分離筒１０４の入口管部分を含む断面図である。
【図１２】サイクロン分離筒１０４と集塵ケース１０５の連通口１１７を含む断面図である。
【図１３】集塵ケース１０５を排気側から見たときの側面図である。
【図１４】サイクロン分離筒１０４と集塵ケース１０５が一体となったときの外観斜視図である。
【図１５】本発明の一実施の形態を示すアップライト式電気掃除機の外観斜視図である。
【図１６】図１５に示した電気掃除機における側面図である。
【図１７】サイクロン分離筒４０５と集塵ケース４０５が一体となったときの縦断面図である。
【図１８】サイクロン分離筒４０４と集塵ケース４０５の連通口４１７を含む断面図である。
【図１９】本発明の一実施の形態を示すサイクロン分離筒と集塵ケースの縦断面図である。
【符号の説明】
１…掃除機本体、１０１…下ケース、１０２…上蓋、１０３…集塵部、１０４…サイクロン分離筒、１０５…集塵ケース、１０６…第１の補助フィルター、１０７…電動送風機、１１２…第２の補助フィルター、１１５…入口管、１１７…連通口、１２０…排気口、１３１…内筒、１４５…連絡通路、１４６…サイクロン部流出口、１５０…上ケース、４０４…サイクロン分離筒、４０５…集塵ケース、４０６…第１の補助フィルター、４１２…第２の補助フィルター、４１５…入口管、４１７…連通口、４２０…排気口、４３１…内筒、５０４…サイクロン分離筒、５０５…集塵ケース、５０６…第１の補助フィルター、５１２…第２の補助フィルター、５１５…入口管、５１７…連通口、５２０…排気口、５３１…内筒。
【図１】
2004135994.tif 000003
【図２】
2004135994.tif 000004
【図３】
2004135994.tif 000005
【図４】
2004135994.tif 000006
【図５】
2004135994.tif 000007
【図６】
2004135994.tif 000008
【図７】
2004135994.tif 000009
【図８】
2004135994.tif 000010
【図９】
2004135994.tif 000011
【図１０】
2004135994.tif 000012
【図１１】
2004135994.tif 000013
【図１２】
2004135994.tif 000014
【図１３】
2004135994.tif 000015
【図１４】
2004135994.tif 000016
【図１５】
2004135994.tif 000017
【図１６】
2004135994.tif 000018
【図１７】
2004135994.tif 000019
【図１８】
2004135994.tif 000020
【図１９】
2004135994.tif 000021